(57)【要約】【課題】限られた設置スペースを有効に利用して十分な光演出効果を発揮できる遊技機の発光装置を提供する。【解決手段】内部空間を有しその外壁が透光部２１と不透光部２２で構成された回転体２と、当該回転体２の内部空間に設置された発光ダイオード２５と、回転体２を回転駆動させる駆動手段とを備え、不透光部２２の内周面２２ｂが光反射面となっており、透光部２１に光拡散構造を構成するレンズ部２１１が形成されている。【選択図】        図４
2011239856.tif 000002
【特許請求の範囲】
【請求項１】
内部空間を有し、その外壁が透光部と不透光部で構成された回転体と、当該回転体の前記内部空間に設置された発光体と、前記回転体を回転駆動させる駆動手段とを備え、前記不透光部の内周面が光反射面となっており、前記透光部に光拡散構造が備えられている遊技機の発光装置。
【請求項２】
前記回転体はその軸周りに回転する筒体であり、筒体の外周壁に前記透光部と不透光部を前記回転体の軸方向へ延びる帯状に形成した請求項１に記載の遊技機の発光装置。
【請求項３】
前記帯状の透光部と不透光部を、前記軸方向と交差するように形成した請求項２に記載の遊技機の発光装置。
【請求項４】
前記回転体の周囲に光反射部材を設けて、該反射部材により前記回転体から射出された光を反射させるようにした請求項１ないし３のいずれかに記載の遊技機の発光装置。
【請求項５】
前記回転体の後方位置に前記光反射部材を設け、前記光反射部材の光反射面を前方へ突出する山形断面に形成した請求項４に記載の遊技機の発光装置。
【発明の詳細な説明】
【技術分野】
【０００１】
本発明は遊技機の発光装置に関し、特に、ダイナミックな演出を可能とした発光装置に関する。
【背景技術】
【０００２】
パチンコ遊技機等においては大当り等の特別遊技状態において遊技者の興趣を高めるために様々な演出が行われ、この際に発光装置が使用される。例えば特許文献１では、本体枠の上部に三角柱形状の横長の外枠を備えた枠飾りを設け、外枠内に円筒状回転体を設けた枠飾り（発光装置）が示されている。回転体内には複数のランプが設けられてこれらが選択発光させられ、ランプから発した光は、回転体の周面に多数形成されたレンズによって屈折させられつつ回転体の回転に伴ってその方向を逐次変える。
【先行技術文献】
【特許文献】
【０００３】
【特許文献１】特開平６−２５４２１６
【発明の概要】
【発明が解決しようとする課題】
【０００４】
ところで、近年、パチンコ遊技機の遊技盤内に設置される遊技装置は液晶表示器等によって大型化してきており、その分、発光装置の設置スペースが制約されることから、限られた設置スペースでさらに演出効果の高い発光装置が望まれている。
【０００５】
そこで、本発明はこのような要請に鑑みたもので、限られた設置スペースを有効に利用して十分な光演出効果を発揮できる遊技機の発光装置を提供することを目的とする。
【課題を解決するための手段】
【０００６】
上記目的を達成するために、本第１発明では、内部空間を有しその外壁が透光部（２１）と不透光部（２２）で構成された回転体（２）と、当該回転体（２）の前記内部空間に設置された発光体（２５）と、前記回転体（２）を回転駆動させる駆動手段（３５）とを備え、前記不透光部（２２）の内周面（２２ｂ）が光反射面となっており、前記透光部（２１）に光拡散構造（２１１）が備えられている。
【０００７】
本第１発明においては、発光体からの光のうち一部は直接透光部に至って光拡散構造によって回転体外へ拡散射出される。発光体からの光のうち他の部分は不透光部の内周面で反射させられた後に透光部に至って光拡散構造によって回転体外へ拡散射出される。回転体の回転に伴って、透光部と不透光部の位置が変位可能になるので興趣のある発光演出がなされる。本発明では回転体を回転させる構造によって発光体を並べた発光装置に比してよりダイナミックな光の演出が可能な発光装置が実現される。
【０００８】
本第２発明では、前記回転体（２）はその軸周りに回転する筒体であり、筒体の外周壁に前記透光部（２１）と不透光部（２２）を前記回転体（２）の軸方向へ延びる帯状に形成する。
【０００９】
本第２発明においては、回転体を筒体にすることで遊技機の横長あるいは縦長のスペースを有効利用して発光演出をすることができるとともに、回転体の回転に伴って透光部と不透光部が交互に位置を変えてさらに興趣のある発光演出がなされる。
【００１０】
本第３発明では、前記帯状の透光部（２１）と不透光部（２２）を、前記軸方向と交差するように形成する。本第３発明においては、回転体の回転に伴って帯状の透光部と不透光部が螺旋状に軸方向へ移動するように見え、また、発光体による発光部位も軸方向に移動するように見えるので、さらに興趣が向上させられる。
【００１１】
本第４発明では、前記回転体（２）の周囲に光反射部材（４１，４２）を設けて、該反射部材（４１，４２）により前記回転体（２）から射出された光を反射させるようにする。本第４発明においては、透光部から回転体外へ射出された光が光反射部材によって反射させられるから、さらに複雑で興趣のある発光演出を実現することができる。
【００１２】
本第５発明では、前記回転体（２）の後方位置に前記光反射部材（４１，４２）を設け、前記光反射部材（４１，４２）の光反射面（４１ａ，４２ａ）を前方へ突出する山形断面に形成する。本第５発明によれば、透光部から回転体の後方側の外方へと射出された光が、光反射部材によって前方の斜め方向へ反射され、透光部を経て直接射出される光と相俟って広範囲への光演出が可能になる。
【００１３】
なお、上記カッコ内の符号は、後述する実施形態に記載の具体的手段との対応関係を示すものである。
【発明の効果】
【００１４】
以上のように、本発明の遊技機の発光装置によれば、限られた設置スペースを有効に利用して十分な光演出効果を発揮することができる。
【図面の簡単な説明】
【００１５】
【図１】発光装置を備えた パチンコ遊技機の全体正面図である。
【図２】カバーを取り去った状態での、発光装置の回転発光部の正面図である。
【図３】カバーを取り去った状態での、発光装置の回転発光部の斜視図である。
【図４】カバーを取り去った状態での、発光装置の回転発光部の破断斜視図である。
【図５】回転体を取り去った状態での、発光装置の発光部の斜視図である。
【図６】レンズ体を取り去った状態での、発光装置の発光部の斜視図である。
【図７】カバーを取り去った状態での、発光装置の補助発光部と副発光部の正面図である。
【図８】発光装置の補助発光部の垂直断面図である。
【図９】発光装置の副発光部の一部分解斜視図である。
【図１０】発光装置の副発光部の垂直断面図である
【発明を実施するための形態】
【００１６】
(実施形態)
図１にはパチンコ遊技機の全体概略正面図を示し、本体枠に設置された遊技盤Ｐの前側に設けられたガラス枠Ｆの上枠Ｆ１に本発明の発光装置１が設けられている。発光装置１は中央の主発光部Ｍと左右位置の副発光部Ｓより構成されている。左右の副発光部Ｓは同一形状の矩形をなし、主発光部Ｍは左右から中央へ漸次縦幅が小さくなるアーチ形状となっている。主発光部Ｍの中央は左右に延びる回転発光部Ｍ１となっており、回転発光部Ｍ１の左右に隣接して補助発光部Ｍ２が設けられている。
【００１７】
回転発光部Ｍ１は前面が透明なカバーで覆われており、図２にはカバーを取り去った回転発光部Ｍ１の正面図を示す。また、図３には下方から見た回転発光部Ｍ１の斜視図を示し、図４にはその破断斜視図を示す。
【００１８】
回転発光部Ｍ１には横長筒状の回転体２が設けられている。当該回転体２は四角筒断面をなし（図４）、四角形の各面が交互に透光部２１と不透光部２２になっている。透光部２１は透光性の一定幅の樹脂製長板で成形され、その表面には光拡散構造を構成する多数のレンズ部２１１が互いに隣接して多数突出形成されている。また、不透光部２２は一定幅の樹脂製長板で、その内外周面たる表裏面２２ａ，２２ｂ（図４）には金属メッキを施して鏡面仕上げの光反射面としてある。そして、上記透光部２１と不透光部２２は回転体２の中央を境にして左右対称形に略９０度周方向に捩られて正面視で略Ｖ字状に形成されている（図２〜図４）。このようにして、透光部２１および不透光部２２は回転体２の軸方向へ延びる帯状をなすとともに、回転体２の軸方向に対して交差するように形成されている。
【００１９】
回転体２はその両端部が回転自在に回転発光部Ｍ１の左右の側壁３１，３２に支持されている。回転体２の一方の端部にはこれに中心軸を一致させて歯車３３が固定されており（図２、図３）、歯車３３は大径の歯車３４を介して図略の駆動手段たるモータの回転軸３６（図３）に設けた歯車３５に連結されて、回転体２が回転駆動されるようになっている。この回転体２は図略の回転位置センサによって適宜回転位置が検出されて、これに基づき回転駆動制御されるようになっている。回転体２の筒内には円筒状の樹脂製レンズ体２３が収納されている（図４）。レンズ体２３にはその内周面に、円弧断面の円環状突条となったレンズ部２３１が長手方向へ多数隣接して形成されている。レンズ体２３は両端が上記各側壁３１，３２に固定されている（図５）。
【００２０】
上記レンズ体２３の筒内にはその筒軸方向へ一定幅の長板状プリント配線基板２４が起立姿勢で配設されており（図４、図６）、上記基板２４の前面にはその長手方向へ間隔をおいて発光体としての発光ダイオード２５が多数設けてある。プリント配線基板２４は両端が側壁３１，３２に固定されるとともに、その一端２４１は側壁３１を貫通して延出し（図２）、図略の制御回路に接続されている。これにより、各発光ダイオード２５の発光が制御回路によって制御される。
【００２１】
回転体２の後方には、光反射部材４１，４２とレンズ部材５１，５２が交互に上下方向へ配設されている（図４）。上下方向の中央部の大半に主として配設された光反射部材４１は樹脂材を前方へ突出する「く」の字形状の山形断面に成形したもので、回転体２の後方位置をこれに沿って左右方向へ延びて、その両端は側壁３１，３２に固定されている。樹脂材で成形された光反射部材４１の前面は金属メッキが施されて光反射面４１ａとなっている。
【００２２】
光反射部材４１を挟んで上下に位置するレンズ部材５１，５２は横倒姿勢とした透光性樹脂の厚肉板体で構成され、その前端面５１ａ，５２ａは凹状の曲面断面をなす光拡散面となっている。各レンズ部材５１，５２の後端面には、共通のプリント配線基板５３上に設けた発光ダイオード５４が対向して位置している。発光ダイオード５４は各レンズ部材５１，５２の後端面に沿ってその長手方向へ間隔をおいて多数設けられて、図略の制御装置によってその発光が制御されている。
【００２３】
レンズ部材５２の下方位置に補助的に配設された光反射部材４２は、樹脂材を、前方へ突出する底辺が略水平な山形断面に成形したものである。光反射部材４２は回転体２の後方位置をこれに沿って左右方向へ延びて、その両端は側壁３１，３２に固定されており、その前面４２ａは金属メッキが施されて光反射面となっている。
【００２４】
図７には補助発光部Ｍ２の正面図を示し、図８にはその断面図を示す。補助発光部Ｍ２は回転発光部Ｍ１の左右側に位置して（図１）それぞれ斜め左右方向へ向いている。補助発光部Ｍ２には上下方向へ複数の発光領域６１が形成されており、各発光領域６１は凹状円弧断面（図８）をなす集光反射面６１１とその中心に配置された発光ダイオード６１２で構成されている。各発光ダイオード６１２は共通のプリント配線基板６２上に設けられて、図略の制御装置によってその発光が制御されている。そして、これら発光領域６１の前方位置に枝状の飾り部材６３が設けられている。飾り部材６３の前方にはこれらを塞ぐようにハーフミラーで形成されたカバー６４が設けられている。
【００２５】
図９には副発光部Ｓの斜視図を示し、図１０にはその断面図を示す。副発光部Ｓは主発光部Ｍの左右に位置し（図１）、各副発光部Ｓは上下位置に発光器７Ａ，７Ｂを備えている。各発光器７Ａ，７Ｂは同構造の正面視で円形のもので、内周面を光反射面７１ａとした円筒状の筒壁７１を備えている（図９）。筒壁７１の前側開口の前方には当該開口に対して一定の間隙をおいてほぼ同形の円形の蓋体７２が位置しており、蓋体７２は筒壁７１内に設けた支持部材７３の支腕７３１先端に、周方向の裏面四箇所がネジ止め固定されている。なお、蓋体７２の裏面７２ａは径方向外方へ向けて凹状に湾曲する光反射面となっている。
【００２６】
支持部材７３の基端は筒壁７１の後側開口の後方に起立姿勢で配設されたプリント配線基板７４の板面に固定されている。プリント配線基板７４上には支持部材７３を囲む円周上に間隔をおいて複数の発光ダイオード７５が設けられており、これら発光ダイオード７５は図略の制御装置によってその発光が制御されている。また、上側に配設された発光器７Ａの後方には図１０に示すようにスピーカ７７が前方へ向けて設けてある。スピーカ７７も図略の制御装置によってその発音が制御されている。
【００２７】
以上の構成を有する発光装置１の作動を以下に説明する。特別遊技状態等が生じると制御装置によって回転発光部Ｍ１の回転体２が回転させられる。同時に回転体２の内部に設けた発光ダイオード２５が適宜発光させられる。発光ダイオード２５から前方へ発した発散光は、レンズ体２３のレンズ部２３１で屈曲、および拡散させられて前方へ射出する。回転体２の回転に伴い透光部２１が前方に位置するとその表面に形成されたレンズ部２１１で屈折させられて発光ダイオード２５の光は前方の広い範囲へ拡散射出される。
【００２８】
不透光部２２が前方に位置した場合には発光ダイオード２５の光は不透光部２２裏面の光反射面２２ｂで後方へ反射させられ、直接、あるいはさらに他の不透光部２２の光反射面２２ｂで反射させられた後に透光部２１から拡散射出される。そして、そのうちの多くが光反射部材４１，４２に入射し、光反射部材４１，４２の、前方へ突出する山形断面に形成された光反射面４１ａ，４２ａで斜め前上方あるいは斜め前下方への広い範囲へ反射させられる。なお、不透光部２２はその外周側の表面も光反射面２２aとしてあるから、前方から入射する外光は不透光部２２で反射されて再び前方へ射出される。さらに、光反射部材４１，４２に上下位置で隣接したレンズ部材５１，５２の後端面に対向する発光ダイオード５４も適宜発光させられ、これら発光ダイオード５４から前方へ発した光がレンズ部材５１，５２の前端面で拡散されて前方へ射出される。  
【００２９】
回転体２の回転に伴って透光部２１と不透光部２２が交互に前側に位置させられ、ある時は発光ダイオード２５から発した光が透光部２１を経て前方へ射出させられ、他の時には発光ダイオード２５からの光が不透光部２２で遮られるとともに外光がここで反射されて前方へ向かい、これが交互に繰り返される。
【００３０】
この際、上記透光部２１および不透光部２２は既述のように回転体２の中央を境にして左右対称形に略９０度周方向に捩られて回転体２の軸方向へ略Ｖ字状に延びる帯状をなし、軸方向に対して交差するように形成されているから、遊技者から見ると回転体２の回転に伴って帯状の透光部２１と不透光部２２が螺旋状に左右方向へ移動するように見え、また、透光部２１を通って前方へと射出される光も左右方向へ移動するように見えて、さらに興趣が向上させられる。このように、回転体２の回転に伴う光の射出および反射、回転体２の後方に位置する反射部材４１，４２による光の反射、およびレンズ部材５１，５２からの光の射出、加えて適宜発光色を異ならせた発光ダイオード２５，５４の選択発光により、回転発光部Ｍ１での斬新な発光演出が行なわれる。
【００３１】
本実施形態では上記回転発光部Ｍ１での発光に加えて、さらに以下に説明する補助発光部Ｍ２と副発光部Ｓにおける発光がなされる。補助発光部Ｍ２では各発光領域６１の発光ダイオード６１２が適宜発光させられ、発光ダイオード６１２から発した発散光が集光反射面６１１で略平行光となって、補助発光部Ｍ２が向けられた左右の斜め前方向へ射出される。この際、射出された光は発光領域６１の前方に設けられた飾り部材６３に当たってこれを照明し輝かせる。このとき、カバー６４がハーフミラーで形成されているので、発光ダイオード６１２が発光したときには補助発光部Ｍ２内部を視認することができ、同時にハーフミラーによる内部反射も相俟って奥行き感のある光演出を行うことができる。また、発光ダイオード６１２が発光していない場合にはハーフミラーが光反射面となり外光を反射することができる。
【００３２】
副発光部Ｓでは発光ダイオード７５から前方へ発した光が、蓋体７２裏面の反射面７２ａでほぼ蓋体７２の蓋面と平行な方向へ反射させられて、蓋体７２と筒壁７１の前側開口との間の間隙を経て蓋体７２からその径方向外方へ射出される。同時に、スピーカ７７から適宜タイミングで音声出力がなされる。以上のようにして、限られたガラス枠の上縁に左右方向へ設けた発光装置によって、斬新かつ興趣のある光演出が実現される。
【００３３】
（他の実施形態）
上記実施形態においては四角筒状の回転体２の各面の全面を透光部２１あるいは不透光部２２となるようにどちらか一方のみで全てを形成したが、回転体の各面それぞれに透光部２１の領域と不透光部２２の領域とを両方とも設けるようにしても良い。また、回転体の筒形状も四角筒に限られるものではなく、三角形状や五角形状等、その他の多角形状で形成してもよく、その際も同様に透光部と不透光部とを交互に複数設けるようにしてもよい。また、回転体は円筒形状や楕円筒形状等、曲面を有する形状で形成してもよく、その際も同様に透光部と不透光部とを交互に複数設けるようにしてもよい。また、透光部２１をハーフミラーとしても良く、この場合には、回転体２内部の発光ダイオード２５が発光したときに限りその光が視認され、併せて、回転体２内部の構造を視認することができるので興趣のある光演出を行うことができる。同時にハーフミラーによる内部反射も相俟って奥行き感のある光演出を行うことができる。また、発光ダイオード２５が発光していない場合にはハーフミラーが光反射面となり外光を反射することができる。さらに、光反射部材４１，４２の一部に別途発光体を配置してその前面部を透光部材や、ハーフミラー等で形成するようにしても良い。
【００３４】
透光部２１の光拡散構造は、レンズカット形状により形成するものに限らず、光拡散シート等の別途拡散部材を用いて形成したり、乳白色等の透光性材料で透光部２１を成形する等、適宜光拡散機能を有するように形成しても良い。また、回転体２の内部に設けたもう一つの光拡散部材であるレンズ体２３は固定した構造に限らず、回転体２と同様に別途駆動機構により回転移動等するようにしても良い。そのときに回転体２とは回転の方向や速度を変えたりして様々な光演出駆動を行うようにしても良い。回転体２の形状は、軸方向において略一定の断面形状を有する筒形状の棒状体に限らず、軸方向や周方向において適宜形状が変化するように異形の形状で形成しても良い。
回転体２の回転軸の設置取付け構造は回転体２の両端部に跨って設けることに限らず、一端部のみに設けるようにしても良い。この場合は、回転体を球体状に形成したり、所定のキャラクタを想定したフィギュア形状で形成することができる。また、回転体２に形成される透光部２１と不透光部２２は軸方向に沿って延びるように帯状に交互に配置することに限らず、回転体２の周方向に沿って帯状に形成し交互に配置しても良い。透光部２１や不透光部２２を所定方向に向けて帯状に形成するときは、その帯幅の寸法は一定の寸法を維持するように形成することに限らず、適宜その幅寸法が変化するように形成しても良い。帯状に形成した透光部２１と不透光部２２の捩り形状は略Ｖ字状に捩ることに限らず、螺旋形状等、様々な捩り形状により軸方向と交差するように形成することができる。
【００３５】
発光装置は上記実施形態のようにガラス枠の上枠に横位置で設ける以外に、右側枠に縦位置で設けても良い。ガラス枠における左右の側枠部は、遊技機内において比較的長い寸法を有する領域として構成されているので、その領域を最大限に有効利用して本発明の発光装置を設置することができ、さらにダイナミックな光の演出を可能にすることができる。  この場合、ガラス枠の左側枠は、必要以上に前方へ突出して枠自体を形成するとガラス枠の開放時等に現金球貸し機等、遊技施設のその他の遊技装置と干渉することがあり、あまり適切ではないが、右側枠はそれに比べて制約が少ないので設置箇所としては適切である。  
また、発光装置をガラス枠の上枠に設けた場合に、光反射部材を回転体の後方に加えて上方にも設け、ガラス枠の右側枠に設けた場合には、光反射部材を回転体の後方に加えて右側方にも設けると、光反射部材により反射された光を遊技者に向けて射出するための光通過領域は適切に確保しつつ光反射部材による光反射領域は増加させることができるので、さらに光反射による演出効果を高くできる。
なお、この場合、上方あるいは右側方に設ける光反射部材をハーフミラーにして、遊技者に対しては光反射部材として機能させ、遊技者以外の第三者に対しては、発光体の発光時にその内部に形成された回転発光部を視認できる光透過部材として機能させるようにしても良い。そのように形成すれば、遊技機を遊技する遊技者のみならず、その遊技機が設置された遊技施設の周辺に存在するその他の遊技者に対しても本発明の発光装置による光演出を効果的に発信することができる。さらに、発光装置を球皿や遊技盤等、遊技機のその他の部材、領域に設けることもできる。
【符号の説明】
【００３６】
１…発光装置、２…回転体、２１…透光部、２２…不透光部、４１，４２…光反射部材、４１ａ，４２ａ…反射面、Ｍ…主発光部、Ｍ１…回転発光部、Ｍ２…補助発光部、Ｓ…副発光部。
【図１】
2011239856.tif 000003
【図２】
2011239856.tif 000004
【図３】
2011239856.tif 000005
【図４】
2011239856.tif 000006
【図５】
2011239856.tif 000007
【図６】
2011239856.tif 000008
【図７】
2011239856.tif 000009
【図８】
2011239856.tif 000010
【図９】
2011239856.tif 000011
【図１０】
2011239856.tif 000012